(57)【要約】【課題】音響管をマイクロホンケース内に収納してなる狭指向性マイクロホンで、簡単な構成でありながら、マイクロホンケースに対して音響管を同軸に配置する。【解決手段】管壁に音響抵抗材により覆われた音波導入口２１を有し、マイクロホンケース１０の音響管収納部１０Ａ内に収納される円筒状の音響管２０と、マイクロホンケース１０内で音響管２０の後端部側に配置される単一指向性マイクロホンユニット３０とを含み、マイクロホンケース１０の先端開口部１０ｄにフロントキャップ１００が被せられている狭指向性マイクロホンにおいて、フロントキャップ１００は、グリル状のキャップ本体１１０の周縁に設けられ、外径がマイクロホンケース１０の先端開口部１０ｄの内径φ１とほぼ同径で上記先端開口部１０ｄ内に密接して嵌合されるスカート部１２０を備え、スカート部の内径面１２２に、音響管２０の先端部分に当接して音響管２０をマイクロホンケース１０に対して同軸に位置合わせするためのテーパを形成する。【選択図】図２
2008103984.tif 000002
【特許請求の範囲】
【請求項１】
先端側に音響管収納部を備えている円筒状のマイクロホンケースと、管壁に音響抵抗材により覆われた音波導入口を有し上記マイクロホンケースの音響管収納部に収納される円筒状の音響管と、上記マイクロホンケース内で上記音響管の後端部側に配置される単一指向性マイクロホンユニットとを含み、上記マイクロホンケースの先端開口部にフロントキャップが被せられている狭指向性マイクロホンにおいて、
上記フロントキャップは、グリル状のキャップ本体と、上記キャップ本体の周縁に設けられ、外径が上記マイクロホンケースの先端開口部の内径とほぼ同径で上記先端開口部内に密接して嵌合されるスカート部を備え、上記スカート部の内径面には、上記音響管の先端部分に当接して上記音響管を上記マイクロホンケースに対して同軸に位置合わせするためのテーパが形成されていることを特徴とする狭指向性マイクロホン。
【請求項２】
上記フロントキャップが弾性体からなることを特徴とする請求項１に記載の狭指向性マイクロホン。
【請求項３】
上記フロントキャップが導電性を備えていることを特徴とする請求項１または２に記載の狭指向性マイクロホン。
【発明の詳細な説明】
【技術分野】
【０００１】
本発明は、音響管がマイクロホンケース内に収納されている狭指向性マイクロホンに関し、さらに詳しく言えば、マイクロホンケースに対して音響管を同軸的に配置するガイド手段を有する狭指向性マイクロホンに関するものである。
【背景技術】
【０００２】
音響管を用いる狭指向性マイクロホンでは、単一指向性マイクロホンユニットの前部音響端子側に長尺の音響管が設けられる。音響管は、その管壁に音響抵抗材により覆われた音波音波導入口を有し、その音波音波導入口から音波を取り込むことにより単一指向性マイクロホンユニットの指向性を狭くしている（例えば、特許文献１，２参照）。
【０００３】
その構成例を図３ないし図５により説明する。図３は従来の狭指向性マイクロホンの外観を示す側面図，図４は内部構造を簡略化して示す図３のＢ−Ｂ線断面図，図５は図４のＣ−Ｃ線拡大断面図である。
【０００４】
図３および図４に示すように、従来の狭指向性マイクロホン１Ｂでは、通常のマイクロホンよりも長尺である金属材からなる円筒状のマイクロホンケース１０が用いられる。マイクロホンケース１０の図４において上端側の先端１０ｆは開口されており、その開口部にはグリル状に形成されたフロントキャップ１１が被せられている。
【０００５】
マイクロホンケース１０の図４において下端側の後端１０ｒには、出力コネクタ５０が一体的に装着されている。通常、出力コネクタ５０には、ＥＩＡＪ  ＲＣ−５２３６「音響機器用ラッチロック式丸型コネクタ」に規定されている３ピン型の出力コネクタ５０が用いられている。
【０００６】
マイクロホンユニットには、前部音響端子３１と後部音響端子３２とを有する静電型の単一指向性マイクロホンユニット３０が用いられる。単一指向性マイクロホンユニット３０は合成樹脂製の支持部材４１を介してマイクロホンケース１０内の所定部位に固定されている。
【０００７】
マイクロホンケース１０内は単一指向性マイクロホンユニット３０により、音響管２０が収納される先端１０ｆ側の音響管収納部１０Ａと、回路基板４２が収納される後端１０ｒ側のパワーモジュール部１０Ｂとに区画される。
【０００８】
音響管２０は、マイクロホンケース１０の先端１０ｆ側から、その後端の管端部が単一指向性マイクロホンユニット３０の前部音響端子３１の周りに嵌合するまで挿入されたのち、後端の管端部がマイクロホンケース１０にネジ止めされる。
【０００９】
図示していないが、回路基板４２には、インピーダンス変換器としてのＦＥＴ（電界効果トランジスタ）や電源回路などを含む音声出力回路が搭載されており、そのＦＥＴのゲートに単一指向性マイクロホンユニット３０の引出電極３３が図示しない板バネ接触子などを介して接続される。また、回路基板４２の音声出力回路は出力コネクタ５０と接続される。
【００１０】
図５の断面図を参照して、音響管２０の管壁には、狭指向性の軸対称性を得るために、少なくとも１８０゜対向する２箇所に音波導入口２１が穿設され、音響管２０の外壁側に音波導入口２１を覆うように音響抵抗材２２が添着されている。
【００１１】
通常、音波導入口２１は、音響管２０のほぼ全長にわたって延びる一連のスリット状に形成されるか、もしくは丸孔としてその複数個が音響管２０の軸線方向に沿って一列に並べられる。
【００１２】
また、音響抵抗材２２には、フェルト材や不織布などが用いられる。図示しないが、音響管２０の最外周には、体裁をよくするためと、音響抵抗材２２が触手されないようにするため、金網などからなる保護網が設けられる。
【００１３】
この状態で、音響管２０はマイクロホンケース１０の音響管収納部１０Ａ内に挿入されるが、図３に示すように、音響管収納部１０Ａの管壁には、音波導入口２１よりも大きな開口部１２が円周方向に沿うスリット孔として形成されている。なお、図示していないが、音響管収納部１０Ａの後端側には、後部音響端子３２用の音波導入口が形成されている。
【００１４】
【特許文献１】特開昭６２−１１８６９８号公報
【特許文献２】特開平８−１９０８７号公報
【発明の開示】
【発明が解決しようとする課題】
【００１５】
ところで、図６に示すように、音響管収納部１０Ａ内で音響管２０の軸が偏心していると、一方の音響抵抗材２２がマイクロホンケース１０との間で挟まれた状態となり、その音響抵抗が他方の音響抵抗材２２よりも高くなり、軸対称性が損なわれることになる。
【００１６】
これを防止するため、従来では、図７に示すようなスペーサリング１３をマイクロホンケース１０の先端１０ｆ側の開口部にはめ込むようにしている。このスペーサリング１３は、内面に音響管２０の先端外周が嵌合されるスリーブ１３ａを備えている。
【００１７】
スリーブ１３ａの外面側には雄ネジ１３ｂが形成され、これに対応して、マイクロホンケース１０の先端１０ｆ側の開口部内とフロントキャップ１１のスカート部１１ａとに、それぞれ雌ネジ１０ｃ，１１ｂが形成され、次のようにして組み立てられる。
【００１８】
まず、スリーブ１３ａ内に音響管２０の先端を嵌合しながら、その雄ネジ１３ｂの下半分をマイクロホンケース１０側の雌ネジ１０ｃに螺合し、マイクロホンケース１０に対して音響管２０を同軸に位置合わせし、その後、フロントキャップ１１側の雌ネジ１１ｂをスリーブ１３ａの雄ネジ１３ｂの上半分に螺合してフロントキャップ１１をマイクロホンケース１０に取り付ける。
【００１９】
これにより、狭指向性の軸対称性が確保される。しかしながら、スペーサリング１３という別部品を必要とするばかりでなく、スペーサリング１３，マイクロホンケース１０およびフロントキャップ１１の各々にネジ加工を施さなければならないため、その分コストがかかる。また、組み立てにも時間がかかる、という問題がある。
【００２０】
したがって、本発明の課題は、音響管がマイクロホンケース内に収納されている狭指向性マイクロホンにおいて、簡単な構成でありながら、マイクロホンケースに対して音響管を同軸に配置し得るようにすることにある。
【課題を解決するための手段】
【００２１】
上記課題を解決するため、本発明は、請求項１に記載されているように、先端側に音響管収納部を備えている円筒状のマイクロホンケースと、管壁に音響抵抗材により覆われた音波導入口を有し上記マイクロホンケースの音響管収納部に収納される円筒状の音響管と、上記マイクロホンケース内で上記音響管の後端部側に配置される単一指向性マイクロホンユニットとを含み、上記マイクロホンケースの先端開口部にフロントキャップが被せられている狭指向性マイクロホンにおいて、上記フロントキャップは、グリル状のキャップ本体と、上記キャップ本体の周縁に設けられ、外径が上記マイクロホンケースの先端開口部の内径とほぼ同径で上記先端開口部内に密接して嵌合されるスカート部を備え、上記スカート部の内径面には、上記音響管の先端部分に当接して上記音響管を上記マイクロホンケースに対して同軸に位置合わせするためのテーパが形成されていることを特徴としている。
【００２２】
本発明において、請求項２に記載されているように、上記フロントキャップが弾性体からなることが好ましい。また、請求項３に記載されているように、上記フロントキャップが導電性を備えていることが好ましい。より好ましくは、上記フロントキャップが弾性と導電性とを併せ持っているとよい。
【発明の効果】
【００２３】
本発明によれば、マイクロホンケースの先端に取り付けられるフロントキャップのグリル状のキャップ本体の周縁に、外径がマイクロホンケースの先端開口部の内径とほぼ同径でその先端開口部内に密接して嵌合されるスカート部を設け、スカート部の内径面に、音響管の先端部分に当接して音響管をマイクロホンケースに対して同軸に位置合わせするためのテーパを形成したことにより、フロントキャップをマイクロホンケースの先端に取り付けるだけで、マイクロホンケースに対して音響管を同軸に配置することができる。
【００２４】
この場合、フロントキャップを弾性体にて形成することにより、フロントキャップがショックマウントとして機能するため、振動雑音を軽減することができる。また、フロントキャップを導電性材料から形成することにより、シールド性が高められ、外来電磁波などによる雑音発生を抑制することができる。
【発明を実施するための最良の形態】
【００２５】
次に、図１および図２により、本発明の実施形態について説明する。図１（ａ）は本発明の実施形態に係る狭指向性マイクロホンを示す外観正面図，図１（ｂ）はその内部構造を簡略化して示す図１（ａ）のＡ−Ａ線断面図，図２はマイクロホンケースとフロントキャップとを分離して示す図１（ｂ）と同様の断面図である。なお、先の図３ないし図５で説明した従来例と同一もしくは同一と見なされてよい構成要素には、それと同じ参照符号を付している。
【００２６】
図１，図２を参照して、本発明による狭指向性マイクロホン１Ａにおいても、通常のマイクロホンよりも長尺である例えば黄銅合金などの金属材からなる円筒状のマイクロホンケース１０が用いられる。マイクロホンケース１０の図１において上端側の先端１０ｆは開口されており、その先端開口部１０ｄにフロントキャップ１００が被せられている。
【００２７】
マイクロホンケース１０の図１において下端側の後端１０ｒには、出力コネクタ５０が一体的に装着されている。出力コネクタ５０は、ＥＩＡＪ  ＲＣ−５２３６「音響機器用ラッチロック式丸型コネクタ」に規定されている出力コネクタであってよい。この出力コネクタ５０は、図示しないファントム電源に接続される。
【００２８】
本発明においても、マイクロホンユニットには、前部音響端子３１と後部音響端子３２とを有する静電型の単一指向性マイクロホンユニット３０が用いられる。マイクロホンケース１０内は単一指向性マイクロホンユニット３０により、先端１０ｆ側の音響管収納部１０Ａと、回路基板４２が収納される後端１０ｒ側のパワーモジュール部１０Ｂとに区画される。
【００２９】
図示していないが、先に説明した従来例と同じく、回路基板４２には、インピーダンス変換器としてのＦＥＴ（電界効果トランジスタ）や電源回路などを含む音声出力回路が搭載されており、そのＦＥＴのゲートに単一指向性マイクロホンユニット３０の引出電極が板バネ接触子などを介して接続される。また、回路基板４２の音声出力回路は出力コネクタ５０と接続される。
【００３０】
音響管収納部１０Ａ内に音響管２０が配置される。音響管２０は、上記従来例と同じく、狭指向性の軸対称性を得るため、先の図５に示したように、少なくとも管壁の１８０゜対向した２箇所に音響抵抗材２２にて覆われた音波導入口２１を備えている。また、図示しないが、音響抵抗材２２の周りに保護網が設けられる。
【００３１】
この例において、単一指向性マイクロホンユニット３０は、音響管２０の後端の管端部内にゴム弾性体からなるショックマウント４３を介して装着されており、音響管２０の後端はマイクロホンケース１０にねじ止めされている。
【００３２】
本発明において、フロントキャップ１００にマイクロホンケース１０に対して音響管２０を同軸的に配置するガイド手段が設けられている。
【００３３】
フロントキャップ１００は、グリル状に形成されたキャップ本体１１０と、このキャップ本体１１０の周縁に一体的に設けられたスカート部１２０とを備えている。スカート部１２０の外径はマイクロホンケース１０の先端開口部１０ｄの内径φ１とほぼ同径であり、スカート部１２０の外径面１２１は先端開口部１０ｄに密接して嵌合する。
【００３４】
なお、この例においては、先端開口部１０ｄと音響管２０の先端部分との間にスカート部１２０を差し込むことができるように、先端開口部１０ｄはマイクロホンケース１０の他の部分よりも薄肉状に形成されている。
【００３５】
一方、スカート部１２０の内径面１２２には、音響管２０の先端部分に当接して音響管２０をマイクロホンケース１０に対して同軸に位置合わせするためのテーパが形成されている。
【００３６】
すなわち、音響管２０の先端部分の外径をφ２，スカート部１２０の開放端側の内径をφａ，スカート部１２０のキャップ本体１１０側の基部の内径をφｂとすると、スカート部１２０の内径面１２２には、φｂ＜φ＜２φａなるテーパが付けられている。
【００３７】
これによれば、フロントキャップ１００のスカート部１２０をマイクロホンケース１０の先端開口部１０ｄ内に挿入し接着剤などにて固定することにより、マイクロホンケース１０に対して音響管２０を同軸に位置決めすることができる。
【００３８】
また、フロントキャップ１００の少なくともスカート部１２０をゴムなどの弾性材料で形成することにより、スカート部１２０がショックマウントとなるため、振動雑音を軽減することができる。なお、キャップ本体１１０とスカート部１２０とを弾性材料で一体に形成することが生産性の面で好ましい。
【００３９】
また、フロントキャップ１００を導電性材料で形成することにより、マイクロホン全体のシールド性が高められ、外来電磁波などによる雑音発生を効果的に抑制することができる。なお、フロントキャップ１００を弾性と導電性とを併せ持つ材料で形成することがより好ましく、この種の材料としては、太陽金網社製の商品名「ソフト・シールド４０００，５０００シリーズ」を例示することができる。
【図面の簡単な説明】
【００４０】
【図１】（ａ）本発明の実施形態に係る狭指向性マイクロホンを示す外観正面図，（ｂ）その内部構造を簡略化して示す（ａ）のＡ−Ａ線断面図。
【図２】マイクロホンケースとフロントキャップとを分離して示す図１（ｂ）と同様の断面図。
【図３】従来の狭指向性マイクロホンの外観を示す側面図。
【図４】内部構造を簡略化して示す図３のＢ−Ｂ線断面図。
【図５】図４のＣ−Ｃ線拡大断面図。
【図６】音響管が偏心している状態を示す図５と同様の断面図。
【図７】図４におけるマイクロホンケースの先端部分を示す拡大断面図。
【符号の説明】
【００４１】
１Ａ  狭指向性マイクロホン
１０  マイクロホンケース
１０Ａ  音響管収納部
１０Ｂ  パワーモジュール部
１０ｄ  先端開口部
２０  音響管
２１  音波導入口
２２  音響抵抗材
３０  単一指向性マイクロホンユニット
３１  前部音響端子
３２  後部音響端子
４２  回路基板
５０  出力コネクタ
１００  フロントキャップ
１１０  キャップ本体
１２０  スカート部
１２１  外径面
１２２  内径面
【図１】
2008103984.tif 000003
【図２】
2008103984.tif 000004
【図３】
2008103984.tif 000005
【図４】
2008103984.tif 000006
【図５】
2008103984.tif 000007
【図６】
2008103984.tif 000008
【図７】
2008103984.tif 000009